(57)【特許請求の範囲】
【請求項１】
設計図に基づいて物理的に設置されている複数個の太陽電池パネルと、
それぞれに自己の管理番号が予め与えられ、各太陽電池パネルに前記管理番号によらずに任意の順番に取り付けられて前記各太陽電池パネルの作動状態を監視し、前記管理番号をデジタルデータとして記憶しかつ前記管理番号を書き換え可能なメモリ部と、通信部と、前記各太陽電池パネルの作動状態を検出する検出部とをそれぞれ有する複数個の監視制御装置と、
前記複数個の太陽電池パネルに取り付けられた個々の監視制御装置の通信部との通信によって前記管理番号、前記各太陽電池パネルの作動状態をデジタルデータとして一括して取得するデータコレクタと、
前記データコレクタとの通信を制御する通信制御部と、前記設計図に基づいて物理的に配列された太陽電池パネルに対応する太陽電池パネル対応図を仮想地図上に記憶する仮想地図記憶部と、前記データコレクタとの通信によって取得した前記太陽電池パネルの作動状態と前記監視制御装置の管理番号とを記憶する記憶部と、前記監視制御装置の管理番号に基づいて当該管理番号に対応する監視制御装置を前記仮想地図上の前記太陽電池パネル対応図に関連づける処理部とを有するコントロールサーバとを備え、
前記通信制御部には、一つの管理番号に対応する監視制御装置との通信を残して残余の管理番号に対応する監視制御装置との通信を遮断する遮断部が設けられ、
前記処理部には、前記遮断部による通信の遮断により前記太陽電池パネル対応図と前記一つの管理番号に対応する監視制御装置とを特定することを繰り返して、先頭の太陽電池パネルに取り付けられている監視制御装置の管理番号を判断する判断部と、該判断部の判断結果に従って前記監視制御装置の管理番号を前記太陽電池パネルの配列の順番に書き換える書き換え部とが設けられていることを特徴とする太陽電池パネルの設備管理システム。
【請求項２】
前記データコレクタと前記コントロールサーバとはインターネットにより接続されていることを特徴とする請求項１に記載の太陽電池パネルの設備管理システム。
【請求項３】
前記コントロールサーバには、前記仮想地図記憶部に記憶された太陽電池パネル対応図に関する情報と前記監視制御装置からの情報とをモニタ装置に送信する送信部が設けられ、前記モニタ装置には、前記太陽電池パネル対応図を表示するモニタ画面が設けられ、前記モニタ画面上で前記先頭の太陽電池パネルに取り付けられている監視制御装置の管理番号を認識可能であることを特徴とする請求項１または請求項２に記載の太陽電池パネルの設備管理システム。
【請求項４】
前記モニタ装置には、前記予め定められた管理番号を指定して、前記コントロールサーバと前記データコレクタとを介して、前記通信を遮断する監視制御装置を指定する指定手段が設けられていることを特徴とする請求項３に記載の太陽電池パネルの設備管理システム。
【請求項５】
前記太陽電池パネルはエリア毎に区画して複数個設けられ、区画されたエリア毎に前記データコレクタが複数個設けられ、該複数個のデータコレクタは前記区画に跨ってオーバラップして前記監視制御装置からの前記管理番号を取得することを特徴とする請求項１ないし請求項４のいずれか１項に記載の太陽電池パネルの設備管理システム。
【請求項６】
前記複数個のデータコレクタには、該データコレクタを特定する管理番号が付され、該データコレクタは前記区画に任意の順番に配置され、前記コントロールサーバには、前記太陽電池パネルのエリアに対応する仮想エリアを記憶する仮想エリア記憶部が設けられ、前記コントロールサーバは、前記データコレクタとの通信を遮断して、前記データコレクタが取得する太陽電池パネルのエリアを特定することを特徴とする請求項５に記載の太陽電池パネルの設備管理システム。
【請求項７】
前記太陽電池パネルは、入出力端子ボックスを介して互いに隣接する太陽電池パネルに直列に接続され、前記監視制御装置はモジュール化されて前記入出力端子ボックスに内蔵されていることを特徴とする請求項１ないし請求項６のいずれか１項に記載の太陽電池パネルの設備管理システム。
【発明の詳細な説明】
【技術分野】
【０００１】
本発明は、太陽電池パネルの設備管理システムに関する。
【背景技術】
【０００２】
従来から、太陽光発電システムには、複数個の太陽電池（セル）を電気的に直列又は並列に接続して構成された一枚の太陽電池パネル（太陽電池モジュールともいう）を複数個直列に接続して太陽電池ストリングと呼ばれるものを構成することにより発電電圧を高め、更に、この太陽電池ストリングを複数個並列に接続して、太陽電池アレイを構成して所定の電力を得られるようにしたものが知られている。
【０００３】
この種の太陽光発電システムでは、太陽電池ストリング間に監視制御装置を設け、太陽電池ストリングの故障等の異常を検出するものが知られている（例えば、特許文献１参照）。
【先行技術文献】
【特許文献】
【０００４】
【特許文献１】特開平７−１７７６５２号公報
【発明の概要】
【発明が解決しようとする課題】
【０００５】
ところで、太陽光発電設備が大掛かりになればなるほど、太陽電池パネルの個数は多くなり、例えば、山間等に設置されている太陽光発電設備の施設では、その太陽電池パネルの個数は膨大である。
【０００６】
このような太陽光発電設備の施設では、ストリング毎の監視では太陽電池パネルの故障の特定が容易ではなく、太陽電池パネル毎にこの太陽電池パネルを監視することが望まれる。
【０００７】
そこで、設計図に基づいて物理的に設置されている太陽電池パネルに個々に監視制御装置を取り付けて、物理的に設置されている太陽電池パネルと監視モニタのモニタ画面上に設計図に基づいて配列表示されている太陽電池パネルとを対応づけることが必要となる。
【０００８】
しかしながら、太陽電池パネルの個数が膨大であるので、監視制御装置に予めシリアルナンバー（監視制御装置の管理番号（バーコード情報））を設けて、物理的に設置されている太陽電池パネルの配設順に先頭から順番に監視制御装置を取り付け、設計図に基づいて物理的に順番に設置されている太陽電池パネルと設計図に基づいてモニタ画面上に配列表示されている太陽電池パネルの対応図とを対応づけることにすると、太陽電池取り付け作業の際に、その監視制御装置のシリアル番号と太陽電池パネルの順番との関係を作業者が逐一確認又はバーコード情報の読み取りをしなければならず、監視制御装置の取り付け作業に時間と手間とがかかりすぎるという不都合がある。
【０００９】
本発明は、上記の事情に鑑みて為されたもので、設計図に基づいて物理的に順番に設置されている各太陽電池パネルに、管理番号が予め与えられた監視制御装置を、予め与えられた管理番号の順番によらずに取り付けた場合でも、太陽電池パネルの番号の順番と監視制御装置の管理番号の順番とを自動的に一致させることができる太陽電池パネルの設備管理システムを提供することを目的とする。
【課題を解決するための手段】
【００１０】
本発明の太陽電池パネルの設備管理システムは、
設計図に基づいて物理的に設置されている複数個の太陽電池パネルと、
それぞれに自己の管理番号が予め与えられ、各太陽電池パネルに前記管理番号によらずに任意の順番に取り付けられて前記各太陽電池パネルの作動状態を監視し、前記管理番号をデジタルデータとして記憶しかつ前記管理番号を書き換え可能なメモリ部と、通信部と、前記各太陽電池パネルの作動状態を検出する検出部とをそれぞれ有する複数個の監視制御装置と、
前記複数個の太陽電池パネルに取り付けられた個々の監視制御装置の通信部との通信によって前記管理番号、前記各太陽電池パネルの作動状態をデジタルデータとして一括して取得するデータコレクタと、
前記データコレクタとの通信を制御する通信制御部と、前記設計図に基づいて物理的に配列された太陽電池パネルに対応する太陽電池パネル対応図を仮想地図上に記憶する仮想地図記憶部と、前記データコレクタとの通信によって取得した前記太陽電池パネルの作動状態と前記監視制御装置の管理番号とを記憶する記憶部と、前記監視制御装置の管理番号に基づいて当該管理番号に対応する監視制御装置を前記仮想地図上の前記太陽電池パネル対応図に関連づける処理部とを有するコントロールサーバとを備え、
前記通信制御部には、一つの管理番号に対応する監視制御装置との通信を残して残余の管理番号に対応する監視制御装置との通信を遮断する遮断部が設けられ、
前記処理部には、前記遮断部による通信の遮断により前記太陽電池パネル対応図と前記一つの管理番号に対応する監視制御装置とを特定することを繰り返して、先頭の太陽電池パネルに取り付けられている監視制御装置の管理番号を判断する判断部と、該判断部の判断結果に従って前記監視制御装置の管理番号を前記太陽電池パネルの配列の順番に書き換える書き換え部とが設けられていることを特徴とする。
【発明の効果】
【００１１】
本発明によれば、設計図に基づいて物理的に順番に設置されている各太陽電池パネルに、管理番号が予め与えられた監視制御装置を、予め与えられた管理番号の順番によらずに取り付けた場合でも、太陽電池パネルの番号の順番と監視制御装置の管理番号の順番とを自動的に一致させることができる。
【図面の簡単な説明】
【００１２】
【図１】本発明の太陽電池パネルの設備管理システムの実施例に係る太陽電池パネルの配設状態の一例を示す斜視図である。
【図２】図１に示す太陽電池パネルに係る太陽光発電システムの概念図である。
【図３】図１に示す太陽電池パネルの内部構造を模式的に示す部分拡大断面図である。
【図４】図１に示す太陽電池パネルの背面状態を示す斜視図である。
【図５】図３に示す太陽電池セルと図４に示す入出力端子ボックスとの接続状態とデータコレクタとサーバとの関係を模式的に示す回路図である。
【図６】図１に示す太陽電池パネルの配設の一例を示す説明図であって、実際に山間部等の地域に、設計図に基づいて物理的に配設された多数の太陽電池パネルを模式的に示す説明図である。
【図７】図６に示す設計図に基づいて物理的に配設された多数の太陽電池パネルの配設位置を部分的に拡大して示す模式図である。
【図８】データの収集範囲がオーバラップしている状態を示す模式図である。
【図９】指定された１個のデータコレクタによって収集できる太陽電池パネルの範囲を示す説明図である。
【図１０】仮想地図記憶部の仮想地図上に、設計図に基づいて物理的に配列された太陽電池パネルに対応する太陽電池パネル対応図をモニタ画面に表示した状態とモニタ画面に表示された管理番号との一例を示す説明図であって、全ての管理番号が取得されている状態を模式的に示す説明図である。
【図１１】管理番号「１００００１」の監視制御装置のみを起動させ、残余の管理番号の監視制御装置との通信を遮断した状態を模式的に示す説明図である。
【図１２】管理番号「１００００２」の監視制御装置のみを起動させ、残余の管理番号の監視制御装置との通信を遮断した状態を模式的に示す説明図である。
【図１３】管理番号「１００００３」の監視制御装置のみを起動させ、残余の管理番号の監視制御装置との通信を遮断することにより、先頭の太陽電池パネルに取り付けられている監視制御装置が特定された状態と管理番号とを書き換えた状態とを模式的に示す説明図である。
【図１４】監視制御装置の管理番号と太陽電池パネルの番号との一例を模式的に示す説明図である。
【図１５】全ての太陽電池パネルに取り付けられている監視制御装置の管理番号が太陽電池の配列の番号の順番に書き換えられた状態を模式的に示す説明図である。
【図１６】監視制御装置の管理番号の書き換えの処理の流れを説明するためのフローチャートである。
【図１７】隣接するデータコレクタが取得する管理番号がオーバラップしている場合の処理を説明するための模式図である。
【図１８】データコレクタの管理番号を取得するための一例を模式的に示す説明図である。
【発明を実施するための形態】
【実施例】
【００１３】
以下に、本発明に係る太陽電池パネルの設備管理システムを図面を参照しつつ説明する。
（太陽電池パネルの説明）
図１はその太陽電池パネルの設備管理システムの実施例に係る太陽電池パネルの配設状態を示す斜視図である。
【００１４】
その図１において、符号１は太陽電池パネル（太陽電池モジュール）である。この太陽電池パネル１は、複数個の太陽電池セル２が電気的に直列又は並列に接続されて構成されている。
【００１５】
その太陽光発電システムでは、この太陽電池パネル１が複数個電気的に直列に配列されて、太陽電池ストリーム３が構成される。ここでは、太陽電池ストリーム３は、４枚の太陽電池パネル１から構成されている。
【００１６】
この太陽電池ストリーム３が複数個並列に接続されて、図２に概念的に示すように、太陽電池アレイ４が構築される。その太陽電池ストリーム３はそれぞれ接続箱５に接続されている。
接続箱５は集電盤６を介してパワーコンディショナー（ＰＣＳ）７に電気的に接続されている。これらの太陽光発電システムは公知の事項である。
【００１７】
その太陽電池パネル１は、図３に示すように、太陽光が当たる側の面に白板強化ガラスが設けられ、この太陽光が当たる側が受光面８とされている。この受光面８とは反対側の背面９には、耐候性フィルム膜が設けられている。
【００１８】
受光面８と背面９との間には、図３に示すように、複数個の太陽電池セル２が配設されている。この太陽電池セル２は互いに隣接するセル同士がインターコネクタ１１により直列又は並列に電気的に結線されている。その電気的結線の一例が図５に模式的に示されている。
【００１９】
その各太陽電池パネル１は、図１、図３、図４に示すように、アルミニウム製の矩形状フレーム１２により矩形状に囲われて、その矩形状フレーム１２と白板強化ガラスと耐候性フィルム膜とによって囲われた空間には樹脂１０が充填されている。
【００２０】
太陽電池パネル１は、例えば、図５に模式的に示すように、互いに隣接する太陽電池セル２の＋側と−側とが直列に接続されて構成された複数個のセル直列接続体１３Ａ、１３Ｂ、１３Ｃが並列に接続されて構成されている。
【００２１】
この太陽電池パネル１の電力は入出力端子ボックス１４を介して取り出される。入出力端子ボックス１４は、図３、図４に示すように、太陽電池パネル１の背面９の側に設けられている。
【００２２】
この入出力端子ボックス１４には、図５に示すように、逆流防止ダイオードＤ１、Ｄ２、Ｄ３が直列に接続されたダイオード直列接続体Ｄが内蔵されている。
【００２３】
セル直列接続体１３Ａの−側は逆流防止ダイオードＤ１のアノード側に接続されている。セル直列接続体１３Ａの＋側は逆流防止ダイオードＤ１のカソード側に接続されている。
【００２４】
セル直列体１３Ｂの−側は逆流防止ダイオードＤ２のアノード側に接続されると共に、逆流防止ダイオードＤ１のカソード側に接続されている。セル直列体１３Ｂの＋側は逆流防止ダイオードＤ２のカソード側に接続されている。
【００２５】
セル直列体１３Ｃの−側は逆流防止ダイオードＤ３のアノード側に接続されると共に、逆流防止ダイオードＤ２のカソード側に接続されている。セル直列体１３Ｃの＋側は逆流防止ダイオードＤ３のカソード側に接続されている。
【００２６】
太陽電池パネル１は、図１、図４に示すように、受光面８が太陽の照射光を効率良く受光できるように架台１５に斜めに配設されている。その架台１５は、例えば、基礎コンクリートブロック１５Ａと、太陽電池パネル支持支柱１５Ｂと、支持フレーム１５Ｃとから構成される。
【００２７】
太陽光が当たると、太陽電池パネル１が正常作動状態（設計上予定した作動状態）にあると、各太陽電池セル２の発電により、ダイオード直列接続体Ｄの両端に所定のアナログ出力電圧Ｖが生成される。
【００２８】
入出力端子ボックス１４は、入力端子ＰＶ−と、出力端子ＰＶ＋とを有する。その入力端子ＰＶ−は逆流防止ダイオードＤ１のアノードに接続され、その出力端子ＰＶ＋は逆流防止ダイオードＤ３のカソードに接続されている。入力端子ＰＶ−と出力端子ＰＶ＋との間には、逆流防止ダイオードＤ４が設けられている。
【００２９】
その入出力端子ボックス１４は、太陽電池パネル１を複数個電気的に直列に接続して太陽電池ストリーム３を構成するのに用いられる。
太陽電池パネル１は、その入出力端子ボックス１４を介して互いに隣接する太陽電池パネル１に直列に接続され、図４において、符号１６はその太陽電池ストリーム３を構成する接続コードを示している。
【００３０】
（監視制御装置の構成）
まず、説明の便宜のため、太陽電池パネル１の番号と監視制御装置１７の管理番号とが一致しているものとして説明する。
【００３１】
この入出力端子ボックス１４には、太陽電池パネル１の作動状態を監視する監視制御装置１７がモジュール化されて内蔵されている。この監視制御装置１７の電源には、例えば、太陽電池パネル１の発電出力が用いられる。
【００３２】
この監視制御装置１７は、検出部１７’を有する。この検出部１７’は、太陽電池パネル１のアナログ出力電流Ｉを検出する電流検出部１７Ａと、太陽電池パネル１のアナログ出力電圧Ｖを検出する電圧検出部１７Ｂと、太陽電池パネル１の温度を検出する温度検出部１７Ｃとからなり、電流検出部１７Ａにより検出されたアナログ出力電流Ｉと電圧検出部１７Ｂにより検出されたアナログ出力電圧Ｖと温度検出部１７Ｃにより電気的に検出されたアナログ温度情報とは太陽電池パネル１の作動状態に関する検出情報を構成する。
【００３３】
その監視制御装置１７は、検出部１７’の検出情報をデジタルデータに変換するデータ変換部（データ処理部）１７Ｄと、後述する機能を有するデータコレクタ（コレクタ）１８、後述するコントロールサーバ（サーバ）１９と協働してインターネットを経由して、太陽電池パネル１を集中監視する監視制御センターＭＣとの間で通信を行う通信部１７Ｅと、予め与えられた自己の管理番号をデジタルデータとして記憶すると共にこの管理番号が書き換え可能なメモリ部１７Ｆとを備えている。
【００３４】
通信部１７Ｅは、ここでは、データコレクタ１８との間で通信を行うために、送信部と受信部とから構成されている。この実施例では、コントロールサーバ１９はデータコレクタ１８を制御して、各太陽電池パネル１の検出情報を取得する際には、所定時間間隔でデータコレクタ１８との間で通信を行う。
【００３５】
監視制御センターＭＣは、各太陽電池パネル１毎のアナログ出力電圧Ｖに関するデジタルデータと、アナログ出力電流Ｉに関するデジタルデータと、温度に関するデジタルデータとを過去から現在時点に渡って蓄積保存するデータベースを有する（図示を略す）。
【００３６】
これにより、監視制御センターＭＣは、各太陽電池パネル１毎の出力情報の変動を経時的に把握できると共に、故障診断を行うことができる。
この実施例によれば、各太陽電池パネル１の入出力端子ボックス１４に監視制御装置１７を一体的に内蔵させる構成としている。
【００３７】
従って、太陽電池パネル１を直列接続して太陽電池ストリーム３を構成すると同時に、各太陽電池パネル１毎にその作動状態の監視制御を行うことができることになり、太陽電池パネル１の施工作業を迅速に行うことができる。
【００３８】
また、太陽電池ストリーム３毎の監視制御を行う場合に較べて、迅速に太陽電池パネル１毎にその作動状態の監視制御を行うことができると共に、太陽電池パネル１が故障した場合に、その交換修理を低コストで行うことが可能である。
【００３９】
更に、太陽電池パネル１にマイクロコンピュータを内蔵させて、故障診断を行う構成のものに較べて、低コストで太陽電池監視制御システムを構築できるという効果もある。
【００４０】
この実施例では、入出力端子ボックス１４に監視制御装置１７を内蔵させる構成とした。しかし、本発明は、これに限られるものではなく、本発明の趣旨を逸脱しない範囲で、各種の変形が可能である。
【００４１】
例えば、監視制御装置１７を、太陽電池セル２が設けられていない空間、すなわち、太陽電池パネル１の余裕空間に内蔵させて、監視制御装置１７を太陽電池パネル１と一体的な構成とすることもできる。
【００４２】
しかしながら、監視制御装置１７を太陽電池パネル１に内蔵させた場合には、監視制御装置１７そのものが故障し、太陽電池パネル１が故障していない場合でも、太陽電池パネル１そのものを交換しなければならないために、交換修理コストが高くなりすぎる。
【００４３】
これに対して、監視制御装置１７を入出力端子ボックス１４に内蔵させる構成とすると、監視制御装置１７そのものが故障した場合、入出力端子ボックス１４の交換のみで足りるので、交換修理を低コストで行うことができるという効果がある。
【００４４】
（太陽電池パネルの設備管理システムの概要説明）
これまでの説明では、太陽電池パネル１の番号と監視制御装置１７の管理番号とが一致しているものとして説明した。
【００４５】
しかしながら、太陽電池パネル１と予め与えられた管理番号とを逐一対応させて、太陽電池パネル１に監視制御装置１７を取り付けることにすると、取り付け作業に多大な時間を必要とする。
【００４６】
そこで、設計図に基づいて物理的に順番に設置されている各太陽電池パネル１に、管理番号が予め与えられた監視制御装置１７が、予め与えられた管理番号の順番によらずにでたらめに取り付けるものとする。
図６は、実際に山間部等の地域に、設計図に基づいて物理的に配設された多数の太陽電池パネル１を模式的に示している。
【００４７】
その図６において、「・」はデータコレクタ１８を示し、「・」を中心として細線で示す円は、そのデータコレクタ１８が太陽電池パネル１に取り付けられた監視制御装置１７からの情報（予め与えられた自己の管理番号、太陽電池パネル１の作動状態に関する検出情報）をデジタルデータとして一括して取得できる範囲を示している。
【００４８】
このデータコレクタ１８がデジタルデータとして一括して取得可能な太陽電池パネル１の個数、電波の届く範囲は、設計的に予め定めることができる。例えば、山間部等では、地形や障害物の関係で、電波の届く距離が制約される。これらを予め設計上考慮して、データコレクタ１８の設置位置とデータコレクタ１８が管理する監視制御装置１７の個数とが定められる。
【００４９】
データコレクタ１８が一括して収集できる太陽電池パネル１の検出情報の個数（データコレクタ１８が管理する監視制御装置１７の個数）は、例えば、１２８個から２５６個までの範囲内とする。
【００５０】
各データコレクタ１８が検出情報を一括して収集可能な監視制御装置１７の個数は、各データコレクタ１８ごとに同じであっても良いし、異なっていても良い。以下の説明では、各データコレクタ１８が検出情報を一括して収集可能な監視制御装置１７の個数は同一であるとして説明する。
【００５１】
太陽電池パネル１は、エリア毎に区画して複数個設けられている。図７は、図６に示す設計図に基づいて物理的に配設された多数の太陽電池パネル１の配設位置を部分的に拡大して示す模式図である。
その太陽電池パネル１は、エリア毎に区画して複数個設けられ、符号ａ１〜ａ６はそのエリアを示している。
【００５２】
データコレクタ１８は、そのエリアａ１〜ａ６毎に、例えば複数個設けられている。そのデータコレクタ１８は、データの欠落が生じないようにするため、図８に示すように、データ収集範囲がオーバラップするように、設計図に基づいて配置されている。
【００５３】
（データコレクタ１８、コントロールサーバ１９の詳細構成）
データコレクタ１８には、そのデータコレクタを特定する管理番号が予め付されている。ここでは、説明の便宜のため、その管理番号は、設計図で定められた順番の通りに配置されているものとする。
【００５４】
データコレクタ１８は、図５に示すように、監視制御装置１７との通信部１８Ａ、デジタルデータを一時的に保存する保存部１８Ｂ、コントロールサーバ１９との通信部１８Ｃを備えている。
【００５５】
コントロールサーバ１９は、データコレクタ１８との通信を制御する通信制御部１９Ａと、設計図に基づいて物理的に配列された太陽電池パネル１に対応する太陽電池パネル対応図を仮想地図上に記憶する仮想地図記憶部１９Ｂと、前記データコレクタとの通信によって取得した太陽電池パネル１の作動状態と前記監視制御装置１７の管理番号とを記憶する記憶部１９Ｃと、前記監視制御装置１７の管理番号に基づいて当該管理番号に対応する監視制御装置１７を仮想地図上の太陽電池パネル対応図に関連づける処理部１９Ｄとを有している。
【００５６】
通信制御部１９Ａは、データコレクタ１８の管理番号を指定することにより、その管理番号に対応するデータコレクタ１８との通信を遮断できる。
従って、太陽電池パネル１のエリアとデータコレクタ１８の管理番号とを指定することにより、そのデータコレクタ１８が収集可能な太陽電池パネル１の範囲が定まる。例えば、図９は、その指定された１個のデータコレクタ１８によって収集可能な太陽電池パネル１の範囲を示している。
【００５７】
ここでは、太陽電池パネル１は、左から右に従って順番に符号が付されているものとする。管理番号は、図１０ないし図１５に示すように、ｉｄ番号、ｔｙｐｅ型式番号、ｕｉｄユニット番号、ｓｔａｔｉоｎ  ｉｄ区域番号の各項目から構成されている。
【００５８】
例えば、図１５に示すように、１番目の太陽電池パネル１には、管理番号「１００００３」の監視制御装置１７が取り付けられ、２番目の太陽電池パネル１には管理番号「１００００４」の監視制御装置１７が取り付けられ、３番目の太陽電池パネル１には管理番号「１００００５」の監視制御装置１７が取り付けられ、４番目の太陽電池パネル１には、管理番号「１００００２」の監視制御装置１７が取り付けられ、５番目の太陽電池パネル１には、管理番号「１００００１」の監視制御装置１７が取り付けられているものとする。
【００５９】
このように、太陽電池パネル１に監視制御装置１７の管理番号をランダムに取り付けることにすると、監視制御センターＭＣのモニタ装置２０のモニタ画面２０ａ上で、どの太陽電池パネル１に故障又は異常が生じているのかを判断する際に、直ちに認識し難いという不都合がある。
【００６０】
そこで、この実施例では、通信制御部１９Ａには、指定されたデータコレクタ１８が通信可能な全ての監視制御装置１７のうち、１個の管理番号に対応する監視制御装置１７との通信を残して残余の管理番号に対応する監視制御装置１７との通信を遮断する遮断部１９ａが設けられている。
【００６１】
処理部１９Ｄには、遮断部１９ａによる通信の遮断により１個の太陽電池パネル対応図１’に対して１個の管理番号に対応する監視制御装置１７を特定することを繰り返して先頭の太陽電池パネル１に取り付けられている監視制御装置１７の管理番号を判断する判断部１９ｂと、判断部１９ｂの判断結果に従って管理番号を先頭の太陽電池パネル１に取り付けられている監視制御装置１７から順番に書き換える書き換え部１９ｃとが設けられている。
【００６２】
図１１は、仮想地図記憶部１９Ｂの仮想地図上に、設計図に基づいて物理的に配列された太陽電池パネル１に対応する太陽電池パネル対応図１’を監視制御センターＭＣのモニタ装置のモニタ画面２０ａに表示した状態を示している。
【００６３】
予め与えられた管理番号は、取り付け時に故障があるか否かの発見に用いられる。どの管理番号の監視制御装置１７が、どの番号の太陽電池パネル１に取り付けられているかは不明であるが、とにかく、全ての管理番号に対応する監視制御装置１７に故障がない場合には、図１０に示すように、モニタ画面２０ａ上には、全ての太陽電池パネル対応図１’が点灯される。
【００６４】
監視制御装置１７に故障がある場合には、その監視制御装置１７が取り付けられている太陽電池パネル１に対応する太陽電池パネル対応図１’が点灯されない。
【００６５】
モニタ画面２０ａには、ここでは、説明の便宜のため、管理番号が表示されているものとして説明するが、モニタ画面２０ａ上に管理番号を表示させる必要は必ずしもない。また、モニタ画面２０ａ上に太陽電池パネル対応図１’を表示させる必要もない。全て、コントロールサーバ１９に組み込まれているソフトウエアによってコントロールサーバ１９内で処理を行うことができる。
【００６６】
まず、コントロールサーバ１９は、管理番号「１００００１」に対応する監視制御装置１７との通信を残して、残りの管理番号「１００００２」〜「１００００５」、…に対応する監視制御装置１７との通信を遮断する。
【００６７】
すると、その通信が遮断された監視制御装置１７に対応する太陽電池パネル対応図１’が全て消灯し、通信している太陽電池パネル対応図１’のみが点灯している状態となる。
【００６８】
コントロールサーバ１９は、その点灯している太陽電池パネル対応図１’が先頭の太陽電池パネル１に対応しているか否かを判断する。管理番号「１００００１」に対応する監視制御装置１７は、この例では、５番目の太陽電池パネル１に取り付けられているので、図１１に示すように、５番目の太陽電池パネル対応図１’が点灯される。
【００６９】
ついで、コントロールサーバ１９は、管理番号「１００００２」に対応する監視制御装置１７との通信を残して、残りの管理番号「１００００１」、「１００００３」〜「１００００５」、…に対応する監視制御装置１７との通信を遮断する。
【００７０】
同様に、コントロールサーバ１９は、その点灯している太陽電池パネル対応図１’が先頭の太陽電池パネル１に対応しているか否かを判断する。管理番号「１００００２」に対応する監視制御装置１７は、この例では、４番目の太陽電池パネル１に取り付けられているので、図１２に示すように、４番目の太陽電池パネル対応図１’が点灯される。
【００７１】
ついで、コントロールサーバ１９は、管理番号「１００００３」に対応する監視制御装置１７との通信を残して、残りの管理番号「１００００１」、「１００００２」、「１００００４」、「１００００５」、…に対応する監視制御装置１７との通信を遮断する。
【００７２】
同様に、コントロールサーバ１９は、その点灯している太陽電池パネル対応図１’が先頭の太陽電池パネル１に対応しているか否かを判断する。管理番号「１００００３」に対応する監視制御装置１７は、この例では、１番目の太陽電池パネル１に取り付けられているので、図１３に示すように、１番目の太陽電池パネル対応図１’が点灯される。
【００７３】
コントロールサーバ１９は、先頭の太陽電池パネル１が特定されると、この太陽電池パネル１に取り付けられている監視制御装置１７の管理番号「１００００３」を「１」に書き換える制御を行う。
【００７４】
コントロールサーバ１９は、２番目以降の太陽電池パネル１について、同様の処理を行って、図１４に示すように、太陽電池パネル１の順番と管理番号の順番とを対応づける。
以下に、この処理の一例を図１６に示すフローを参照しつつ説明する。
【００７５】
（管理番号書き換え処理のステップについての一例）
コントロールサーバ１９は、設計図に基づいて物理的に配列された太陽電池パネル１に対応する太陽電池パネル対応図１’を仮想地図上に、データベースから導入する（Ｓ．１）。
【００７６】
コントロールサーバ１９は、全てのデータコレクタ１８の位置を特定する（Ｓ．２）。このデータコレクタ１８の位置の特定については後述する。
ついで、１個のデータコレクタ１８を起動して、かつ、この１個のデータコレクタ１８によりカバーされる全ての範囲の監視制御装置１７に対応する太陽電池パネル対応図１’を全て点灯状態とする（Ｓ．３）。
【００７７】
ついで、コントロールサーバ１９は、そのうちの１個の監視制御装置１７に対応する太陽電池パネル対応図１’を管理番号の順番に従って点灯状態にし、残りの全ての監視制御装置を管理番号に従って消灯状態にする（Ｓ．４）。
【００７８】
この例では、コントロールサーバ１９は、管理番号「１００００１」に対応する監視制御装置１７がその区域内の第１番目の監視制御装置１７か否かを判断する（Ｓ．５）。その監視制御装置１７が第１番目の太陽電池パネル１に対応していない場合には、ステップ４に戻る。
【００７９】
ついで、コントロールサーバ１９は、管理番号「１００００２」に対応する監視制御装置１７を点灯状態にし、残りの全ての管理番号に対応する監視制御装置１７を消灯状態にする。
【００８０】
コントロールサーバ１９は、Ｓ．４、Ｓ．５の処理を繰り返すことにより、第１番目の太陽電池パネル１（先頭の太陽電池パネル１）に取り付けられている監視制御装置１の管理番号を特定する（Ｓ．６）。
【００８１】
この例では、コントロールサーバ１９は、先頭の太陽電池パネル１に取り付けられている監視制御装置の管理番号は「１００００３」であるので、この太陽電池パネル１に取り付けられている監視制御装置１７の管理番号「１００００３」を「１」に書き換えるための対応づけを行う（Ｓ．６）。
【００８２】
コントロールサーバ１９は、管理番号の書き換えの対応づけを行っていない残りの監視制御装置１７について、管理番号の順番にＳ．４ないしＳ．６の処理を行って、全ての監視制御装置１７の管理番号について管理番号の書き換えの対応づけを行う（Ｓ．７）。ついで、コントールサーバ１９は、全ての監視制御装置１７について管理番号の書き換えの対応づけが完了したか否かを判断する（Ｓ．８）。
【００８３】
そして、コントロールサーバ１９は、全ての監視制御装置１７について、管理番号の書き換えの対応づけが完了すると、その書き換えの対応づけ情報に従って、各監視制御装置１７について管理番号の書き換えを行う処理を行う（Ｓ．８）。
【００８４】
すなわち、コントロールサーバ１９は、データコレクタ１８に全ての監視制御装置１７の管理番号を一斉に書き換えるための指令信号と管理番号の書き換え情報とを送信する。
【００８５】
これにより、先頭の太陽電池パネル１に取り付けられている監視制御装置１７の管理番号が太陽電池パネル１の配列の順番に書き換えられる。
ついで、コントロールサーバ１９は、２番目以降のデータコレクタ１８を、順番に起動する。
【００８６】
コントロールサーバ１９は、その２番目以降のデータコレクタ１８についてもＳ．４ないしＳ．８の処理を行って、監視制御装置１７の管理番号を書き換える（Ｓ．９）。これにより、先頭の太陽電池パネル１からその配列の順番に監視制御装置１７の管理番号の順番が対応付けられる。
【００８７】
以上の例では、データコレクタ１８により収集できる太陽電池パネル１の作動情報がオーバラップしていないものとして説明した。
しかしながら、図８に示すように、隣接するデータコレクタ１８により管理すべき監視制御装置１７の管理番号がオーバラップしている場合でも、監視制御装置１７の管理番号の順番を太陽電池パネル１の順番に対応づけることができる。
【００８８】
（横に隣接するデータコレクタ１８が管理番号をオーバラップして取得する場合）
横に隣接するデータコレクタ１８がオーバラップして管理番号を取得する場合、コントロールサーバ１９は、オーバラップがどの太陽電池パネル１から始まり、どの太陽電池パネル１で終わったかを判断できる。
【００８９】
例えば、図１７に模式的に示すように、左側のデータコレクタ１８によりオーバラップして取得された管理番号Ａ、Ｂ、Ｃ、Ｄと、右側のデータコレクタ１８によりオーバラップして取得された管理番号Ａ、Ｂ、Ｃ、Ｄが存在するものとする。
【００９０】
この場合、左側のデータコレクタ１８については、管理番号Ａの監視制御装置１７が取り付けられている太陽電池パネル１の直前の太陽電池パネル１に取り付けられている監視制御装置１７の管理番号が取得され、管理番号Ｄの監視制御装置１７が取り付けられている太陽電池パネル１の直後の太陽電池パネル１に取り付けられている監視制御装置１７の管理番号は取得されない。
【００９１】
一方、右側のデータコレクタ１８については、管理番号Ａの監視制御装置１７が取り付けられている太陽電池パネル１の直前の太陽電池パネル１に取り付けられている監視制御装置１７の管理番号は取得されず、管理番号Ｄの監視制御装置１７が取り付けられている太陽電池パネル１の直後の太陽電池パネル１に取り付けられている監視制御装置１７の管理番号が取得される。
【００９２】
従って、コントールサーバ１９は、管理番号Ａは左側のデータコレクタ１８に所属する監視制御装置１７の管理番号であり、管理番号Ｄは右側のデータコレクタ１８に所属する監視制御装置の管理番号であることを認識できる。
【００９３】
管理番号Ｂ、Ｃについては、コントロールサーバ１９は、管理番号Ｂは左側のデータコレクタ１８に所属する監視制御装置１７に対応するものと判断し、管理番号Ｃについては、右側のデータコレクタ１８に所属する監視制御装置１７に対応するものと判断する。
【００９４】
太陽電池パネル１が正方形にかつ対称的に配列されていると仮定すると、このように対応させたとしても、矛盾は生じない。
縦にデータコレクタ１８が隣接する場合も同様である。この考え方は、データコレクタ１８により管理すべき監視制御装置１７が３つ以上オーバラップする場合にも拡張できる。
【００９５】
一般的には、太陽電池パネル１が正方形に配列されていなくとも、横方向に配列されている太陽電池パネル１の配列個数が設計的に定められているので、コントロールサーバ１９はオーバラップしている管理番号の個数を認識できる。このため、太陽電池パネル１の配列形状は正方形に限られるものではない。
【００９６】
（データコレクタ１８の管理番号の書き換え処理）
データコレクタ１８についても、設計図に基づいて物理的に順番に設置されている各太陽電池パネル１のエリアの順番に、管理番号が予め与えられたデータコレクタ１８を、予め与えられた管理番号の順番によらずにデータコレクタ１８を配置させたときにも、そのエリアの順番に管理番号を対応づけることができる。
【００９７】
例えば、コントロールサーバ１９は、図１８に示すように、データコレクタ１８を一斉に起動してそのデータコレクタ１８の管理番号の情報を取得する。
データコレクタ１８を一斉に起動すると、モニタ画面上で、その全ての管理番号に対応するデータコレクタ対応ポイントＰが点灯される。
【００９８】
コントロールサーバ１９は、第１番目の管理番号のデータコレクタ１８のみを起動し、残りの第２番目以降の管理番号のデータコレクタ１８の起動を停止する処理を行う。
【００９９】
コントロールサーバ１９は、第１番目のエリアｂ１に対応する管理番号のデータコレクタ１８が特定されるまで、この処理を繰り返す。第１番目のエリアｂ１に対応する管理番号が特定されると、そのデータコレクタ１８の管理番号を、第１番目のエリアｂ１の管理番号に書き換える処理を行う。
【０１００】
コントロールサーバ１９は、残りのエリアｂ２、…に対応する管理番号に対応するデータコレクタ１８についても同様の処理を行う。
全てのデータコレクタ１８について、この処理を行えば、エリアｂ１〜ｂ６、…の順番にデータコレクタ１８の管理番号の順番を対応させることができる。
【０１０１】
以上の説明では、説明の便宜のため、先に、太陽電池パネル１の配列の順番に監視制御装置１７の管理番号の順番を先に対応させ、エリアの順番にデータコレクタ１８の管理番号の順番を後から対応させるものとして説明した。
【０１０２】
しかしながら、これは、説明の便宜のためであって、データコレクタ１８が複数個存在する場合には、まず、エリアｂ１〜ｂ６、…の番号にデータコレクタ１８の管理番号の番号を一致させる書き換え処理を行う。
【０１０３】
ついで、この書き換え処理後の管理番号の順番に従ってデータコレクタ１８を起動し、これにより、太陽電池パネル１の監視制御装置１７の書き換え処理を行う。
【０１０４】
このような書き換え処理を行えば、太陽電池パネル１に監視制御装置１７の管理番号をでたらめに対応させて監視制御装置１７を太陽電池パネル１に接続して取り付けた場合でも、太陽電池パネル１の配列順にその作動情報を取得できる。
【０１０５】
（変形例）
以上の実施例では、コントロールサーバ１９により自動的に書き換えを行うこととして説明した。
しかしながら、本発明はこれに限られるものではない。
例えば監視制御センターＭＣのモニタ装置により、予め定められた管理番号を指定して、コントロールサーバ１９とデータコレクタ１８とを介して、通信を遮断する監視制御装置１７の管理番号を指定する指定手段を設ける構成としても良い。
【０１０６】
このように構成すれば、管理番号を確認しつつ、管理番号が予め与えられた監視制御装置１７を任意の順番に太陽電池パネル１に取り付けた場合でも、太陽電池パネル１の番号の順番に監視制御装置１７の番号に一致させることができる。
【符号の説明】
【０１０７】
１…太陽電池パネル
２…太陽電池セル
３…太陽電池ストリーム
１４…入出力端子ボックス
１７…監視制御装置
１７’…検出部
１７Ａ…電流検出部
１７Ｂ…電圧検出部
１７Ｃ…温度検出部
１７Ｄ…データ変換部（処理部）
１７Ｅ…通信部
１７Ｆ…メモリ部
１８…データコレクタ（コレクタ）
１９…コントロールサーバ（サーバ）
１９Ａ…通信制御部
１９Ｂ…仮想地図記憶部
１９Ｃ…記憶部
１９Ｄ…処理部
ＭＣ…監視制御センター
２０…監視モニタ装置
２０ａ…モニタ画面
Ｖ…アナログ出力電圧
Ｉ…アナログ出力電流
【図１】
0006014854.tif 000002
【図２】
0006014854.tif 000003
【図３】
0006014854.tif 000004
【図４】
0006014854.tif 000005
【図５】
0006014854.tif 000006
【図６】
0006014854.tif 000007
【図７】
0006014854.tif 000008
【図８】
0006014854.tif 000009
【図９】
0006014854.tif 000010
【図１０】
0006014854.tif 000011
【図１１】
0006014854.tif 000012
【図１２】
0006014854.tif 000013
【図１３】
0006014854.tif 000014
【図１４】
0006014854.tif 000015
【図１５】
0006014854.tif 000016
【図１６】
0006014854.tif 000017
【図１７】
0006014854.tif 000018
【図１８】
0006014854.tif 000019